(57)【要約】【課題】履いている履物を被覆することができ、しかも、履いている履物を脱がせることなく、また、足カバーの全体を脱がせることなく、履物の底部を露出させることができる足カバーを提供する。【解決手段】一端に口部３を有する有底の半長円形状をなし、編成されて伸縮自在になっており、長手方向の中間に、幅方向中央部から幅方向一縁に亘って貫通し、踵部を露出させるスリット状の孔２が設けられ、該孔２よりも底部側を底部側袋部１ａ、孔２よりも口部側を口部側袋部１ｂとしてあり、底部側袋部１ａだけを脱がせることができるようにした。【選択図】図４
2009127175.tif 000002
【特許請求の範囲】
【請求項１】
履いて足部を被覆する足カバーであって、中間に孔を有することを特徴とする足カバー。
【請求項２】
前記孔は踵に対応する箇所に配してある請求項１記載の足カバー。
【請求項３】
少なくとも前記孔よりも底部側は伸縮性を有する請求項１又は２記載の足カバー。
【発明の詳細な説明】
【技術分野】
【０００１】
本発明は靴等の履物の上から足部を被覆する足カバーに関する。
【背景技術】
【０００２】
幼児をベビーカーに乗せて外出したり、該幼児を抱いて外出したりする場合、幼児の足に靴下（例えば特許文献１に記載）が履される。また、靴等の履物を履いている幼児をベビーカーに乗せて外出したり、該幼児を抱いて外出したり、該幼児を電車等の乗り物の座席に座らせたりする場合、幼児が履いている履物が他人の衣服、座席に接触して、衣服、座席を汚すことがないように、前記履物を脱がしており、また、幼児を歩かせる場合、前記脱がしてある履物を履かしている。
【特許文献１】特開２００７−２６２６３６号公報
【発明の開示】
【発明が解決しようとする課題】
【０００３】
ところが、幼児の履物を脱がしたり、履かしたりするのは面倒であり、また、脱がしている履物を保管しているのも面倒であり、改善策が要望されていた。また、幼児の足に靴下を履かせることなく、履物を履いて外出する際、足の履物から露出している部分が日焼けすることになる。
【０００４】
本発明は斯かる事情に鑑みてなされたものであり、主たる目的はその中間に孔を設けることにより、履いている履物を脱がせることなく、また、足カバーの全体を脱がせることなく、足カバーの孔よりも底部側を脱がせることにより、履物の底部を露出させることが可能であり、また、足の履物から露出する部分の日除け効果を高めることができる足カバーを提供することにある。
【０００５】
また、他の目的は踵に対応する箇所に孔を配することにより、履いている履物の踵部に引っ掛ることなく足カバーの孔よりも底部側を履物に対して脱がせることが可能な足カバーを提供することにある。
【０００６】
また、他の目的は少なくとも孔よりも底部側が伸縮性を有している構成とすることにより、履いている履物に対し足カバーの底部側を脱ぎ方向へ引張ることにより、口部側をずらせることなく底部側を容易に脱がせることが可能な足カバーを提供することにある。
【課題を解決するための手段】
【０００７】
第１発明に係る足カバーは、履いて足部を被覆する足カバーであって、中間に孔を有することを特徴とする。
【０００８】
第１発明にあっては、履いている履物の上に足カバーを履くことにより、履物の踵部を除く部分を孔よりも底部側で被覆し、踵部よりも上側の足部を孔よりも口部側で被覆することが可能であるため、口部側を脱がせることなく、孔よりも底部側だけを脱がせることが可能である。従って、履いている履物を脱がせることなく、また、足カバーの全体を脱がせることなく、足カバーの孔よりも底部側を脱がせることにより、履物の底部を露出させることが可能であり、また、前記底部側により履物の底部を再度被覆することも可能である。また、履物から露出する足部を被覆することが可能であるため、特別の日除け具を用いることなく、日除け効果を高めることができる。
【０００９】
また、第２発明に係る足カバーは、前記孔は踵に対応する箇所に配してあることを特徴とする。
第２発明にあっては、履いている履物の上に足カバーを履いた際、履物の踵部が孔から露出するため、履いている履物の踵部に引っ掛ることなく足カバーの孔よりも底部側を履物から容易に脱がせることが可能であり、また、履物の底部を再度被覆する場合、前記孔から履かせることが可能である。
【００１０】
また、第３発明に係る足カバーは、少なくとも前記孔よりも底部側は伸縮性を有することを特徴とする。
第３発明にあっては、履いている履物に対し足カバーの底部側を脱ぎ方向へ引張ることにより、口部側をずらせることなく底部側を容易に脱がせることができ、また、履物の底部を再度被覆する際においても前記底部側を容易に履かせることができる。
【発明の効果】
【００１１】
第１発明によれば、履いている履物の上に足カバーを履いた際、該足カバーの口部側を脱がせることなく、孔よりも底部側だけを脱がせることが可能であるため、履いている履物を脱がせることなく、また、足カバーの全体を脱がせることなく、足カバーの孔よりも底部側を脱がせることにより、履物の底部を露出させることが可能であり、また、前記底部側により履物の底部を再度被覆することも可能である。しかも、特別の日除け具を用いることなく、足の履物から露出する部分の日除け効果を高めることができる。
【００１２】
第２発明によれば、履いている履物の踵部に引っ掛ることなく足カバーの孔よりも底部側を履物から容易に脱がせることが可能であり、また、履物の底部を再度被覆する場合、前記孔から履かせることが可能である。
【００１３】
第３発明によれば、履いている履物に対し足カバーの底部側を脱ぎ方向へ引張ることにより、口部側をずらせることなく底部側を容易に脱がせることができ、また、履物の底部を再度被覆する際においても前記底部側を容易に履かせることができる。
【発明を実施するための最良の形態】
【００１４】
以下本発明をその実施の形態を示す図面に基づいて詳述する。図１は本発明に係る足カバーの構成を示す平面図、図２は図１のＡ−Ａ線断面図、図３は図１のＢ−Ｂ線断面図である。
【００１５】
足カバー１は、足に履いてある靴等の履物５（図４参照）の上に履いて該履物５及び踵部よりも上側の足部を被覆するものであり、綿糸が９割以上の混紡糸により一端が開放された有底の半長円形状に編成され、全体が伸縮自在になっている。この足カバー１は長手方向の中間に、幅方向中央部から幅方向一縁に亘って貫通するスリット状の孔２が設けられ、該孔２よりも底側を底部側袋部１ａ、孔２よりも口部３側を口部側袋部１ｂとしてある。孔２の縁部は縁取りされており、また、開放側の口部３は複数本のゴム紐が編込まれ、口部３を拡径させる方向へ伸縮自在としてある。
【００１６】
図４は使用状態を示す斜視図、図５、図６は使用状態を示す一部を拡大した斜視図である。以上のように構成された足カバー１を、足に履いてある靴等の履物５の上に履かせる場合、口部３から履物５の上に嵌め込むことにより履くことができ、図４に示すように履物５の踵部５ａが孔２から外部へ露出し、履物５の踵部５ａを除く部分を底部側袋部１ａで被覆し、踵部よりも上側の足部を口部側袋部１ｂで被覆することができる。従って、靴等の履物５を履いている幼児をベビーカーに乗せて外出したり、該幼児を抱いて外出したり、該幼児を電車等の乗り物の座席に座らせたりする場合、幼児が履いている履物５が他人の衣服、座席に接触して、衣服、座席を汚すことを防ぐことができる。また、履物５から露出する足の甲部分及び踵部よりも上側の足部を図４に示すように被覆することができるため、特別の日除け具を用いることなく、日除け効果を高めることができる。
【００１７】
ベビーカーに乗せている幼児、抱いている幼児、座席に座らせている幼児を歩かせる場合、底部側袋部１ａの縁部を摘み、底部側袋部１ａを脱ぎ方向（爪先方向）へ引張ることにより、孔２が拡開しつつ底部側袋部１ａが伸長し、さらに爪先より上方へ引張ることにより、底部側袋部１ａを履物５から容易に脱がせることができ、履物５の底部を外部へ露出させることができる。脱げた底部側袋部１ａは、該底部側袋部１ａの弾性復元により収縮し、図５に示すように履物５の上側で留まる。また、脱げた底部側袋部１ａを図６に示すように踵部よりも上側の足部に沿ってめくり上げることもできる。従って、足カバー１を踏み込むことなく歩くことができる。
【００１８】
幼児を再度ベビーカーに乗せたり、抱いたり、座席に座らせたりする場合、履物５の上側で留まる底部側袋部１ａの縁部を摘み、底部側袋部１ａを爪先方向へ引張ることにより、孔２部が拡開しつつ底部側袋部１ａが伸長し、さらに爪先より下方へ引張ることにより、底部側袋部１ａを孔２から履物５に嵌め込むことができ履物５の底部５ｂを被覆することができる。
【００１９】
尚、以上説明した実施の形態では有底の半長円形状をなし、長手方向の中間に孔２を有する構成としたが、その他、略Ｌ字形をなし、中間の屈曲部に孔２を有する構成としてもよく、形態は特に制限されない。
【図面の簡単な説明】
【００２０】
【図１】本発明に係る足カバーの構成を示す平面図である。
【図２】図１のＡ−Ａ線断面図である。
【図３】図１のＢ−Ｂ線断面図である。
【図４】本発明に係る足カバーの使用状態を示す斜視図である。
【図５】本発明に係る足カバーの使用状態を示す一部を拡大した斜視図である。
【図６】本発明に係る足カバーの使用状態を示す一部を拡大した斜視図である。
【符号の説明】
【００２１】
１  足カバー
２  孔
１ａ  底部側袋部
１ｂ  口部側袋部
【図１】
2009127175.tif 000003
【図２】
2009127175.tif 000004
【図３】
2009127175.tif 000005
【図４】
2009127175.tif 000006
【図５】
2009127175.tif 000007
【図６】
2009127175.tif 000008